(57)【要約】  本明細書の実施形態は、ＰＵＳＣＨ送信のための時間領域リソース割り当てに関する。一実施形態では、物理ランダムアクセスチャネル（ＰＲＡＣＨ）でプリアンブルを送信すること（Ｓ３０１）と、ランダムアクセス応答（ＲＡＲ）メッセージを受信すること（Ｓ３０２）と、物理アップリンク共有チャネル（ＰＵＳＣＨ）で端末識別のためのメッセージ（Ｍｓｇ３）を送信すること（Ｓ３０３）とを含み、Ｍｓｇ３の時間リソース割り当てがＰＵＳＣＨ（通常のＰＵＳＣＨ）で送信される他のメッセージの時間リソース割り当てとは異なる、ランダムアクセス（ＲＡ）の無線通信デバイス（２０１）における方法（３００）を提案する。本明細書の実施形態は、Ｍｓｇ３に対するフレキシブルな時間リソース割り当て設定に対応することができ、それと同時に、Ｍｓｇ３を保持するＰＵＳＣＨの時間リソース割り当てを示すＲＡＲ／ＤＣＩにおけるシグナリングオーバーヘッドを低減することができる。【選択図】図１
2021515483.tif 000002
【特許請求の範囲】
【請求項１】
物理ランダムアクセスチャネル（ＰＲＡＣＨ）でプリアンブルを送信すること（Ｓ３０１）と、
ランダムアクセス応答（ＲＡＲ）メッセージを受信すること（Ｓ３０２）と、
物理アップリンク共有チャネル（ＰＵＳＣＨ）で、端末識別のためのメッセージを送信すること（Ｓ３０３）と、を含み、
端末識別のための前記メッセージの時間リソース割り当てが、前記ＰＵＳＣＨで送信される別のメッセージの時間リソース割り当てとは異なる、無線通信デバイス（２０１）におけるランダムアクセス（ＲＡ）の方法（３００）。
【請求項２】
端末識別のための前記メッセージの前記時間リソース割り当てが、前記ＰＵＳＣＨで送信される他のメッセージの時間リソース割り当てに対するタイミングオフセットを有する、請求項１に記載の方法（３００）。
【請求項３】
前記ＰＵＳＣＨで送信される他のメッセージの時間リソース割り当てが、使用されるニューメロロジーに応じて決まる、請求項２に記載の方法（３００）。
【請求項４】
前記ＰＵＳＣＨで送信される他のメッセージの時間リソース割り当てが、残存最小システム情報（ＲＭＳＩ）を介してネットワークノード（２０２）によって示される、請求項２または３に記載の方法（３００）。
【請求項５】
前記ＰＵＳＣＨで送信される他のメッセージの時間リソース割り当てが、第１の既定のテーブルまたは第１の設定テーブルに含まれる、請求項２から４のいずれか一項に記載の方法（３００）。
【請求項６】
前記タイミングオフセットが、使用されるニューメロロジーに応じて決まり、１つのニューメロロジーに対して１つのタイミングオフセットがある、請求項２に記載の方法（３００）。
【請求項７】
前記タイミングオフセットが、使用されるニューメロロジーに応じて決まり、１つのニューメロロジーに対して１つを超えるタイミングオフセットがある、請求項２に記載の方法（３００）。
【請求項８】
前記タイミングオフセットが、残存最小システム情報（ＲＭＳＩ）を介してネットワークノード（２０２）によって示される、請求項６または７に記載の方法（３００）。
【請求項９】
前記タイミングオフセットが前記ＲＡＲメッセージで示される、請求項６または７に記載の方法（３００）。
【請求項１０】
前記タイミングオフセットが第２の既定のテーブルまたは第２の設定テーブルに含まれる、請求項６から９のいずれか一項に記載の方法（３００）。
【請求項１１】
前記第２の既定のテーブルまたは前記第２の設定テーブルが次の通りである、請求項６に従属する場合の請求項１０に記載の方法（３００）。
2021515483.tif 000005
【請求項１２】
前記第２の既定のテーブルまたは前記第２の設定テーブルが次の通りである、請求項７に従属する場合の請求項１０に記載の方法（３００）。
2021515483.tif 000006
【請求項１３】
前記ＰＵＳＣＨで送信される他のメッセージの前記時間リソース割り当て、および前記タイミングオフセットの両方が、第３の既定のテーブルまたは第３の設定テーブルに含まれる、請求項２に記載の方法（３００）。
【請求項１４】
物理ランダムアクセスチャネル（ＰＲＡＣＨ）でプリアンブルを受信すること（Ｓ４０１）と、
ランダムアクセス応答（ＲＡＲ）メッセージを送信すること（Ｓ４０２）と、
物理アップリンク共有チャネル（ＰＵＳＣＨ）で、端末識別のためのメッセージを受信すること（Ｓ４０３）と、を含み、
端末識別のための前記メッセージの時間リソース割り当てが、前記ＰＵＳＣＨで送信される別のメッセージの時間リソース割り当てとは異なる、ネットワークノード（２０２）におけるランダムアクセス（ＲＡ）の方法（４００）。
【請求項１５】
端末識別のための前記メッセージの前記時間リソース割り当てが、前記ＰＵＳＣＨで送信される他のメッセージの時間リソース割り当てに対するタイミングオフセットを有する、請求項１４に記載の方法（４００）。
【請求項１６】
前記ＰＵＳＣＨで送信される他のメッセージの時間リソース割り当てが、使用されるニューメロロジーに応じて決まる、請求項１５に記載の方法（４００）。
【請求項１７】
残存最小システム情報（ＲＭＳＩ）を介して前記ＰＵＳＣＨで送信される他のメッセージの時間リソース割り当てを示すことを更に含む、請求項１５または１６に記載の方法（４００）。
【請求項１８】
前記ＰＵＳＣＨで送信される他のメッセージの時間リソース割り当てが、第１の既定のテーブルまたは第１の設定テーブルに含まれる、請求項１５から１７のいずれか一項に記載の方法（４００）。
【請求項１９】
前記タイミングオフセットが、使用されるニューメロロジーに応じて決まり、１つのニューメロロジーに対して１つのタイミングオフセットがある、請求項１５に記載の方法（４００）。
【請求項２０】
前記タイミングオフセットが、使用されるニューメロロジーに応じて決まり、１つのニューメロロジーに対して１つを超えるタイミングオフセットがある、請求項１５に記載の方法（４００）。
【請求項２１】
残存最小システム情報（ＲＭＳＩ）を介して前記タイミングオフセットを示すことを更に含む、請求項１９または２０に記載の方法（４００）。
【請求項２２】
前記タイミングオフセットを前記ＲＡＲメッセージで示すことを更に含む、請求項１９または２０に記載の方法（４００）。
【請求項２３】
前記タイミングオフセットが第２の既定のテーブルまたは第２の設定テーブルに含まれる、請求項１９から２２のいずれか一項に記載の方法（４００）。
【請求項２４】
前記第２の既定のテーブルまたは前記第２の設定テーブルが次の通りである、請求項１９に従属する場合の請求項２３に記載の方法（４００）。
2021515483.tif 000007
【請求項２５】
前記第２の既定のテーブルまたは前記第２の設定テーブルが次の通りである、請求項２０に従属する場合の請求項２３に記載の方法（４００）。
2021515483.tif 000008
【請求項２６】
前記ＰＵＳＣＨで送信される他のメッセージの前記時間リソース割り当て、および前記タイミングオフセットの両方が、第３の既定のテーブルまたは第３の設定テーブルに含まれる、請求項１５に記載の方法（４００）。
【請求項２７】
少なくとも１つのプロセッサ（５０１）と、
前記少なくとも１つのプロセッサ（５０１）に結合された非一時的コンピュータ可読媒体（５０２）であって、前記少なくとも１つのプロセッサ（５０１）によって実行可能な命令を含む、非一時的コンピュータ可読媒体（５０２）とを備え、これにより前記少なくとも１つのプロセッサ（５０１）が、
物理ランダムアクセスチャネル（ＰＲＡＣＨ）でプリアンブルを送信し（Ｓ３０１）、
ランダムアクセス応答（ＲＡＲ）メッセージを受信し（Ｓ３０２）、
物理アップリンク共有チャネル（ＰＵＳＣＨ）で、端末識別のためのメッセージを送信する（Ｓ３０３）ように設定され、
端末識別のための前記メッセージの時間リソース割り当てが、前記ＰＵＳＣＨで送信される他のメッセージの時間リソース割り当てとは異なる、無線通信デバイス（２０１）。
【請求項２８】
端末識別のための前記メッセージの前記時間リソース割り当てが、前記ＰＵＳＣＨで送信される別のメッセージの時間リソース割り当てに対するタイミングオフセットを有する、請求項２７に記載の無線通信デバイス（２０１）。
【請求項２９】
前記ＰＵＳＣＨで送信される他のメッセージの時間リソース割り当てが、使用されるニューメロロジーに応じて決まる、請求項２８に記載の無線通信デバイス（２０１）。
【請求項３０】
前記ＰＵＳＣＨで送信される他のメッセージの時間リソース割り当てが、残存最小システム情報（ＲＭＳＩ）を介してネットワークノード（２０２）によって示される、請求項２８または２９に記載の無線通信デバイス（２０１）。
【請求項３１】
前記ＰＵＳＣＨで送信される他のメッセージの時間リソース割り当てが、第１の既定のテーブルまたは第１の設定テーブルに含まれる、請求項２８から３０のいずれか一項に記載の無線通信デバイス（２０１）。
【請求項３２】
前記タイミングオフセットが、使用されるニューメロロジーに応じて決まり、１つのニューメロロジーに対して１つのタイミングオフセットがある、請求項２８に記載の無線通信デバイス（２０１）。
【請求項３３】
前記タイミングオフセットが、使用されるニューメロロジーに応じて決まり、１つのニューメロロジーに対して１つを超えるタイミングオフセットがある、請求項２８に記載の無線通信デバイス（２０１）。
【請求項３４】
前記タイミングオフセットが、残存最小システム情報（ＲＭＳＩ）を介してネットワークノード（２０２）によって示される、請求項３２または３３に記載の無線通信デバイス（２０１）。
【請求項３５】
前記タイミングオフセットが前記ＲＡＲメッセージで示される、請求項３２または３３に記載の無線通信デバイス（２０１）。
【請求項３６】
前記タイミングオフセットが第２の既定のテーブルまたは第２の設定テーブルに含まれる、請求項３２から３５のいずれか一項に記載の無線通信デバイス（２０１）。
【請求項３７】
前記第２の既定のテーブルまたは前記第２の設定テーブルが次の通りである、請求項３２に従属する場合の請求項３６に記載の無線通信デバイス（２０１）。
2021515483.tif 000009
【請求項３８】
前記第２の既定のテーブルまたは前記第２の設定テーブルが次の通りである、請求項３３に従属する場合の請求項３６に記載の無線通信デバイス（２０１）。
2021515483.tif 000010
【請求項３９】
前記ＰＵＳＣＨで送信される他のメッセージの前記時間リソース割り当て、および前記タイミングオフセットの両方が、第３の既定のテーブルまたは第３の設定テーブルに含まれる、請求項２８に記載の無線通信デバイス（２０１）。
【請求項４０】
少なくとも１つのプロセッサ（６０１）と、
前記少なくとも１つのプロセッサ（６０１）に結合された非一時的コンピュータ可読媒体（６０２）であって、前記少なくとも１つのプロセッサ（６０１）によって実行可能な命令を含む、非一時的コンピュータ可読媒体（６０２）とを備え、これにより前記少なくとも１つのプロセッサ（６０１）が、
物理ランダムアクセスチャネル（ＰＲＡＣＨ）でプリアンブルを受信し（Ｓ４０１）、
ランダムアクセス応答（ＲＡＲ）メッセージを送信し（Ｓ４０２）、
物理アップリンク共有チャネル（ＰＵＳＣＨ）で、端末識別のためのメッセージを受信する（Ｓ４０３）ように設定され、
端末識別のための前記メッセージの時間リソース割り当てが、前記ＰＵＳＣＨで送信される別のメッセージの時間リソース割り当てとは異なる、ネットワークノード（２０２）。
【請求項４１】
端末識別のための前記メッセージの前記時間リソース割り当てが、前記ＰＵＳＣＨで送信される他のメッセージの時間リソース割り当てに対するタイミングオフセットを有する、請求項４０に記載のネットワークノード（２０２）。
【請求項４２】
前記ＰＵＳＣＨで送信される他のメッセージの時間リソース割り当てが、使用されるニューメロロジーに応じて決まる、請求項４１に記載のネットワークノード（２０２）。
【請求項４３】
前記少なくとも１つのプロセッサが、
残存最小システム情報（ＲＭＳＩ）を介して前記ＰＵＳＣＨで送信される他のメッセージの時間リソース割り当てを示すように更に設定された、請求項４１または４２に記載のネットワークノード（２０２）。
【請求項４４】
前記ＰＵＳＣＨで送信される他のメッセージの時間リソース割り当てが、第１の既定のテーブルまたは第１の設定テーブルに含まれる、請求項４１から４３のいずれか一項に記載のネットワークノード（２０２）。
【請求項４５】
前記タイミングオフセットが、使用されるニューメロロジーに応じて決まり、１つのニューメロロジーに対して１つのタイミングオフセットがある、請求項４１に記載のネットワークノード（２０２）。
【請求項４６】
前記タイミングオフセットが、使用されるニューメロロジーに応じて決まり、１つのニューメロロジーに対して１つを超えるタイミングオフセットがある、請求項４１に記載のネットワークノード（２０２）。
【請求項４７】
前記少なくとも１つのプロセッサ（６０１）が、
残存最小システム情報（ＲＭＳＩ）を介して前記タイミングオフセットを示すように更に設定された、請求項４５または４６に記載のネットワークノード（２０２）。
【請求項４８】
前記少なくとも１つのプロセッサ（６０１）が、
前記タイミングオフセットを前記ＲＡＲメッセージで示すように更に設定された、請求項４５または４６に記載のネットワークノード（２０２）。
【請求項４９】
前記タイミングオフセットが第２の既定のテーブルまたは第２の設定テーブルに含まれる、請求項４５から４８のいずれか一項に記載のネットワークノード（２０２）。
【請求項５０】
前記第２の既定のテーブルまたは前記第２の設定テーブルが次の通りである、請求項４５に従属する場合の請求項４９に記載のネットワークノード（２０２）。
2021515483.tif 000011
【請求項５１】
前記第２の既定のテーブルまたは前記第２の設定テーブルが次の通りである、請求項４６に従属する場合の請求項４９に記載のネットワークノード（２０２）。
2021515483.tif 000012
【請求項５２】
前記ＰＵＳＣＨで送信される他のメッセージの前記時間リソース割り当て、および前記タイミングオフセットの両方が、第３の既定のテーブルまたは第３の設定テーブルに含まれる、請求項４１に記載のネットワークノード（２０２）。
【請求項５３】
装置（７００）で実行すると、前記装置（７００）に請求項１から１３のいずれか一項に記載の方法（３００）を実施させるコンピュータ可読コードを含む、コンピュータ可読媒体（５０２、７０２、７０４）。
【請求項５４】
装置（７００）で実行すると、前記装置（７００）に請求項１４から２６のいずれか一項に記載の方法（４００）を実施させるコンピュータ可読コードを含む、コンピュータ可読媒体（６０２、７０２、７０４）。
【発明の詳細な説明】
【技術分野】
【０００１】
関連出願
本出願は、「ＰＵＳＣＨ送信のための時間領域リソース割り当て（ＴＩＭＥ  ＤＯＭＡＩＮ  ＲＥＳＯＵＲＣＥ  ＡＬＬＯＣＡＴＩＯＮ  ＦＯＲ  ＰＵＳＣＨ  ＴＲＡＮＳＭＩＳＳＩＯＮ）」という名称の、２０１８年３月２日付けの国際出願ＰＣＴ／ＣＮ２０１８／０７７９４２の優先権および利益を主張する。
【０００２】
本明細書の実施形態は、全体として無線通信の分野に関し、より詳細には、本明細書の実施形態は、ＰＵＳＣＨ送信のための時間領域リソース割り当てに関する。
【背景技術】
【０００３】
ランダムアクセス手順
ランダムアクセス（ＲＡ）手順は、セルラーシステムにおける重要な機能である。ロングタームエボリューション（ＬＴＥ）では、ネットワークにアクセスしようとするＵＥは、物理ランダムアクセスチャネル（ＰＲＡＣＨ）のアップリンクでプリアンブル（Ｍｓｇ１）を送信することによって、ランダムアクセス手順を開始する。プリアンブルを受信し、ランダムアクセスの試行を検出するｇＮｂ（次世代ノードＢ、または送受信ポイント（ＴＲＰ）、即ち基地局、アクセスノード）は、ランダムアクセス応答（ＲＡＲ、Ｍｓｇ２）を送信することによって、ダウンリンクで応答する。ＲＡＲは、端末識別のための以下の後続メッセージ（Ｍｓｇ３）をアップリンクで送信することによって、ＵＥが手順を継続するためのアップリンクスケジューリンググラントを保持している。同様の手順が、ＮＲ（新無線、例えば５Ｇもしくはそれ以上）に関して想到される（図１の図を参照）。図１は、ランダムアクセス手順のメッセージを示す概略シグナリングチャートである。
【０００４】
ＰＲＡＣＨプリアンブルを送信する前に、ＵＥは、一連の同期信号と、場合によっては更に別のチャネルで受信された設定パラメータで補完される、ＳＳブロック（例えば、ＮＲ−ＰＳＳ、ＮＲ−ＳＳＳ、ＮＲ−ＰＢＣＨ）のブロードキャストチャネルに対する設定パラメータとの両方を受信する。
【０００５】
Ｍｓｇ３送信
Ｍｓｇ３は、ＰＵＳＣＨチャネルを使用することによって送信される。Ｍｓｇ３ペイロード以外に、ｅＮＢ／ｇＮＢでのデータ復号を支援する復調用参照信号（ＤＭＲＳ）も送信される。ＬＴＥおよびＮＲの両方において、４ステップのランダムアクセス手順の場合、Ｍｓｇ３の最初の送信はＲＡＲに含まれるＵＬグラントによってスケジューリングされる。Ｍｓｇ３の再送信は、ＰＤＣＣＨを通じてＵＬグラントによってスケジューリングされる。ＬＴＥでは、Ｍｓｇ３の反復は、ＢＬ／ＣＥ  ＵＥのカバレッジを拡大する、ＲＡＲに含まれるＵＬグラントによって設定することができる。
【０００６】
ＬＴＥおよびＮＲにおけるＲＡＲのＵＬグラント
ＬＴＥでは、ランダムアクセス応答グラントフィールドとも呼ばれるＲＡＲのアップリンクグラントフィールドは、アップリンクで使用されるリソースを示す。ＵＬグラントフィールドのサイズは、非ＢＬ／ＣＥ  ＵＥの場合、２０ビットである。ＭＳＢで始まりＬＳＢで終わるこれら２０ビットの内容は、次の通りである。
ホッピングフラグ  １ビット
固定サイズのリソースブロックアサインメント  １０ビット
トランケートされた変調符号化方式  ４ビット
【０００７】
ＵＥが高次パラメータｐｕｓｃｈ−ＥｎｈａｎｃｅｍｅｎｔｓＣｏｎｆｉｇを用いて設定された場合は、次の通りである。
Ｍｓｇ３の反復数  ３ビット
あるいは
スケジューリングされたＰＵＳＣＨに対するＴＰＣコマンド  ３ビット
ＵＬ遅延  １ビット
ＣＳＩ要求  １ビット
【０００８】
ＮＢ−ＩｏＴ  ＵＥの場合、ＵＬグラントフィールドのサイズは１５ビットであり、ＢＬ  ＵＥおよび拡張カバレッジレベル２または３のＵＥの場合、ＵＬグラントフィールドのサイズは１２ビットである。ＵＬグラントの内容は、ＢＬ／ＣＥ  ＵＥに関するＴＳ  ３６．２１３の表６−２に列挙されている。ＮＲのＲＡＲにおけるＵＬグラントの詳細な設計は検討中である。
【０００９】
ＬＴＥにおけるＭｓｇ３に対するリソース割り当て
周波数リソースアサインメントは、ＲＡＲに含まれるＵＬグラントにおける、固定サイズのリソースブロックアサインメントフィールドによって示される。非ＢＬ／ＣＥ  ＵＥに関するＭｓｇ３送信タイミング（反復なし）は次のように規定される。
【００１０】
ＲＡ−ＲＮＴＩが関連付けられたＰＤＣＣＨがサブフレームｎで検出され、対応するＤＬ−ＳＣＨトランスポートブロックが送信されたプリアンブルシーケンスに対する応答を含む場合、ＵＥは、応答に含まれる情報にしたがって、ＲＡＲのＵＬ遅延フィールドがゼロにセットされている場合は、第１のサブフレームｎ＋ｋ１、ｋ１≧６（ｎ＋ｋ１は、ＰＵＳＣＨ送信に利用可能な最初のＵＬサブフレーム）でＵＬ−ＳＣＨトランスポートブロックを送信するものとし、ＴＤＤサービングセルの場合、ＰＵＳＣＨ送信のための最初のＵＬサブフレームは、高次レイヤによって示されるＵＬ／ＤＬ設定（即ち、パラメータｓｕｂｆｒａｍｅＡｓｓｉｇｎｍｅｎｔ）に基づいて決定される。ＵＥは、フィールドが１にセットされている場合、ｎ＋ｋ１の次に利用可能なＵＬサブフレームまでＰＵＳＣＨ送信を延期するものとする。
【００１１】
Ｍｓｇ３  ＰＵＳＣＨ反復数Δが設定されたＢＬ／ＣＥ  ＵＥの場合、ＵＥは、ＵＬ遅延フィールドが１にセットされている場合、ｎ＋ｋ１＋Δの次に利用可能なＵＬサブフレームまでＰＵＳＣＨ送信を延期するものとする。
【００１２】
ＮＲにおけるＰＤＳＣＨ／ＰＵＳＣＨの時間領域割り当て
ＮＲにおけるＰＤＳＣＨ（ＰＵＳＣＨ）の現在の時間領域割り当ては、ＲＡＮ１ではまだまとまっていないが、ＲＡＮ１  ＃９０ｂｉｓ会議で一部の合意はなされている。
【００１３】
ＲＲＣ接続モードの場合、１６行の時間リソース割り当てテーブルが、ＲＲＣシグナリングによって帯域幅部分ごとにＵＥにシグナリングされる。次に、スケジューリングＤＣＩのインデックスが、ＰＤＳＣＨに対する正確な時間リソース割り当てを示す。
【００１４】
ＲＡＮ１  ＃９０ｂｉｓによる合意
【００１５】
スロットおよびミニスロットの両方に関して、スケジューリングＤＣＩは、ＰＤＳＣＨ（またはＰＵＳＣＨ）送信に使用されるＯＦＤＭシンボルを付与するＵＥ固有のテーブルへとインデックスを提供することができる。
ｉ．開始ＯＦＤＭシンボルおよび割り当てのＯＦＤＭシンボル長さ
ｉｉ．ＦＦＳ：１つまたは複数のテーブル
ｉｉｉ．ＦＦＳ：マルチスロット／マルチミニスロットスケジューリングの場合に使用されるスロット、またはクロススロットスケジューリングのためのスロットインデックス
ｉｖ．ＦＦＳ：ＳＦＩが非連続割り当てに対応している場合、再検討が必要なことがある
【００１６】
少なくとも残存最小システム情報（ＲＭＳＩ）スケジューリングの場合
ｉ．少なくとも１つのテーブル入力を仕様で固定する必要がある。
【００１７】
ＮＲにおけるＭｓｇ３のサブキャリア間隔（ＳＣＳ）
ＮＲは、Ｍｓｇ３のＳＣＳを搬送する１ビットを含む（ＲＭＳＩ）のＲＡＣＨ設定に対応している。６ＧＨｚ以下では、Ｍｓｇ３のサブキャリア間隔は１５または３０ｋＨｚであることができる。６ＧＨｚ超過では、Ｍｓｇ３のサブキャリア間隔は６０または１２０ｋＨｚであることができる。
【発明の概要】
【００１８】
ＮＲにおけるＭｓｇ３送信および通常のＰＵＳＣＨのタイミング
ＴＳ  ３８．２１３のセクション８．３では、ＲＡＲを含むＰＤＳＣＨにおける最後のシンボルと対応するＭｓｇ３  ＰＵＳＣＨ送信の最初のシンボルＵＥとの間の最小時間は、Ｎ＿ｔ１＋Ｎ＿ｔ２＋Ｎ＿ｔａ＿ｍａｘ＋０．５ｍｓと規定される。Ｎ＿ｔ１およびＮ＿ｔ２は、ＴＳ  ３８．２１４の表で規定されたＵＥ処理時間である。ニューメロロジー１の場合、Ｎ＿ｔ１＋Ｎ＿ｔ２は約２２〜２５のシンボルを付与し、Ｎ＿ｔａ＿ｍａｘは、約２スロットである、ＲＡＲのＴＡコマンドによって提供することができる最大タイミング調節値である。通常のＰＵＳＣＨ送信の場合、１２シンボルであるＮ＿ｔ２のみを要する。
【００１９】
Ｍｓｇ３のタイミングは通常のＰＵＳＣＨ送信とは異なる。最初のＭｓｇ３送信では、ｇＮＢは、全てのニューメロロジーに対してＭＡＣパケットを処理するのに必要なＵＥ処理時間０．５ｍｓ、Ｎ１およびＮ２、ならびに０〜２スロットの範囲のタイミングアドバンスを考慮に入れるべきである。通常のＰＵＳＣＨと全てのニューメロロジーに対応するＭｓｇ３の両方に関する１６行の単一のテーブルでＫ２を網羅することは困難であろう。
【００２０】
ＮＲランダムアクセスの場合、開始位置および／または送信持続時間を含む、Ｍｓｇ３送信／受信／反復の時間リソースアサインメント、ならびに／あるいはＭｓｇ３送信／反復に関連するＤＭＲＳ設定を示す、新しいシグナリングが必要である。
【００２１】
この実施形態では、タイミングＫ２、開始シンボル、およびＰＵＳＣＨ長さを示す、通常のＰＵＳＣＨに関するデフォルト時間リソース割り当てテーブルが事前定義される。Ｍｓｇ３を保持するＰＵＳＣＨのタイミングは、通常のＰＵＳＣＨとＭｓｇ３を保持するＰＵＳＣＨとのＫ２の違いを使用することによって示される。
【００２２】
一実施形態では、物理ランダムアクセスチャネル（ＰＲＡＣＨ）でプリアンブルを送信することと、ランダムアクセス応答（ＲＡＲ）メッセージを受信することと、物理アップリンク共有チャネル（ＰＵＳＣＨ）で端末識別のためのメッセージを送信することとを含み、端末識別のためのメッセージの時間リソース割り当てがＰＵＳＣＨで送信される他のメッセージの時間リソース割り当てとは異なる、ランダムアクセス（ＲＡ）の無線通信デバイスにおける方法を提案する。
【００２３】
別の実施形態では、物理ランダムアクセスチャネル（ＰＲＡＣＨ）でプリアンブルを受信することと、ランダムアクセス応答（ＲＡＲ）メッセージを送信することと、物理アップリンク共有チャネル（ＰＵＳＣＨ）で端末識別のためのメッセージを受信することとを含み、端末識別のためのメッセージの時間リソース割り当てがＰＵＳＣＨで送信される他のメッセージの時間リソース割り当てとは異なる、ランダムアクセス（ＲＡ）のネットワークノードにおける方法を提案する。
【００２４】
更に別の実施形態では、少なくとも１つのプロセッサと、少なくとも１つのプロセッサに結合された非一時的コンピュータ可読媒体とを備え、非一時的コンピュータ可読媒体が、少なくとも１つのプロセッサによって実行可能な命令を含み、それによって少なくとも１つのプロセッサが、物理ランダムアクセスチャネル（ＰＲＡＣＨ）でプリアンブルを送信し、ランダムアクセス応答（ＲＡＲ）メッセージを受信し、物理アップリンク共有チャネル（ＰＵＳＣＨ）で端末識別のためのメッセージを送信するように設定され、端末識別のためのメッセージの時間リソース割り当てがＰＵＳＣＨで送信される他のメッセージの時間リソース割り当てとは異なる、無線通信デバイスを提案する。
【００２５】
更に別の実施形態では、少なくとも１つのプロセッサと、少なくとも１つのプロセッサに結合された非一時的コンピュータ可読媒体とを備え、非一時的コンピュータ可読媒体が、少なくとも１つのプロセッサによって実行可能な命令を含み、それによって少なくとも１つのプロセッサが、物理ランダムアクセスチャネル（ＰＲＡＣＨ）でプリアンブルを受信し、ランダムアクセス応答（ＲＡＲ）メッセージを送信し、物理アップリンク共有チャネル（ＰＵＳＣＨ）で端末識別のためのメッセージを受信するように設定され、端末識別のためのメッセージの時間リソース割り当てがＰＵＳＣＨで送信される他のメッセージの時間リソース割り当てとは異なる、ネットワークノードを提案する。
【００２６】
更に別の実施形態では、装置で実行されると、上述の方法のいずれかを装置に実施させるコンピュータ可読コードを含む、コンピュータ可読媒体を提案する。
【００２７】
本明細書の方法は、Ｍｓｇ３に対するフレキシブルな時間リソース割り当て設定に対応することができ、それと同時に、Ｍｓｇ３を保持するＰＵＳＣＨの時間リソース割り当てを示すＲＡＲ／ＤＣＩにおけるシグナリングオーバーヘッドを低減することができる。
【００２８】
添付図面は、本明細書に組み込まれ本明細書の一部を形成するものであり、本開示の様々な実施形態を例証し、更に、明細書本文と併せて、本開示の原理を説明するとともに、本明細書に開示される実施形態を当業者が作成し使用するのを可能にするのに役立つ。図面中、類似の参照番号は同一の要素または機能的に同様の要素を示す。
【図面の簡単な説明】
【００２９】
【図１】ランダムアクセス手順のメッセージを示す概略シグナリングチャートである。
【図２】本明細書の実施形態を実現することができる、例示の無線通信システムを示す概略ブロック図である。
【図３】本明細書の実施形態による、無線通信デバイスにおける例示の方法を示す概略フローチャートである。
【図４】本明細書の実施形態による、ネットワークノードにおける例示の方法を示す概略フローチャートである。
【図５】本明細書の実施形態による例示の無線通信デバイスを示す概略ブロック図である。
【図６】本明細書の実施形態による例示のネットワークノードを示す概略ブロック図である。
【図７】本明細書の実施形態による装置を示す概略ブロック図である。
【発明を実施するための形態】
【００３０】
以下、実施形態が示される添付図面を参照して、本明細書の実施形態について詳細に記載する。しかしながら、本明細書のこれらの実施形態は多くの異なる形態で具体化され得るものであり、本明細書に記載する実施形態に限定されるものと解釈すべきではない。図面の要素は必ずしも互いに対して縮尺通りではない。
【００３１】
「一実施形態」または「ある実施形態」という言及は、実施形態と関連して記載される特定の特徴、構造、または特性が、少なくとも１つの実施形態に含まれることを意味する。したがって、明細書全体を通して様々な場所に出現する「一実施形態では」という語句の表現は、必ずしも全てが同じ実施形態を指すものではない。
【００３２】
本明細書で使用される用語「Ａ、Ｂ、またはＣ」は、「Ａ」または「Ｂ」または「Ｃ」を意味し、本明細書で使用される用語「Ａ、Ｂ、およびＣ」は、「Ａ」および「Ｂ」および「Ｃ」を意味し、本明細書で使用される用語「Ａ、Ｂ、および／またはＣ」は、「Ａ」、「Ｂ」、「Ｃ」、「ＡおよびＢ」、「ＡおよびＣ」、「ＢおよびＣ」、または「Ａ、Ｂ、およびＣ」を意味する。更に、単数形「ａ」、「ａｎ」、および／または「ｔｈｅ」が付いた要素は、複数のかかる要素も含むことを意図し、したがって「１つまたは複数」を意味することがある。
【００３３】
本明細書の実施形態では、タイミングＫ２、開始シンボル、およびＰＵＳＣＨ長さを示す、通常のＰＵＳＣＨに関するデフォルト時間リソース割り当てテーブルが事前定義される。Ｍｓｇ３を保持するＰＵＳＣＨのタイミングは、通常のＰＵＳＣＨとＭｓｇ３を保持するＰＵＳＣＨとのＫ２の違いを使用することによって示される。
【００３４】
図２は、実施形態を実現することができる、例示の無線通信システム２００の概略図を示している。一実施形態では、無線通信システム２００は、少なくとも１つの無線通信デバイス２０１と少なくとも１つのネットワークノード２０２とを含んでもよい。しかしながら、本明細書の実施形態は、無線通信デバイス２０１およびネットワークノード２０２の数を限定しない。
【００３５】
一実施形態では、無線通信システム２００は、例えば、ＵＥ、デバイスツーデバイス（Ｄ２Ｄ）ＵＥ、近接可能（ｐｒｏｘｉｍｉｔｙ  ｃａｐａｂｌｅ）ＵＥ（即ち、ＰｒｏＳｅ  ＵＥ）、マシンタイプＵＥもしくはマシンツーマシン（Ｍ２Ｍ）通信が可能なＵＥ、個人情報端末（ＰＤＡ）、ＰＡＤ、タブレット、移動端末、スマートフォン、ラップトップ内蔵機器（ＬＥＥ）、ラップトップ搭載機器（ＬＭＥ）、ＵＳＢドングルなどとして具体化されてもよい。
【００３６】
一実施形態では、ネットワークノード２０２は、例えば、ｅＮｏｄｅＢ（ｅＮＢ）、基地局（ＢＳ）、ネットワークコントローラ、無線ネットワークコントローラ（ＲＮＣ）、基地局コントローラ（ＢＳＣ）、中継器、ドナーノード制御中継器、無線基地局（ＢＴＳ）、アクセスポイント（ＡＰ）、送信ポイント、送信ノードなどとして具体化されてもよい。一実施形態では、ネットワークノード２０２はｇＮＢ（次世代ノードＢ）であってもよい。一実施形態では、無線通信システム２００はオーバーザトップ（ＯＴＴ）シナリオで設定されてもよい。
【００３７】
ＮＲにおけるＭｓｇ３送信の時間リソースアサインメント設定は、ＮＲで指定されるＲＡＲとＭｓｇ３との間の最小ギャップと、高次パラメータによって示される、例えばＲＭＳＩまたは無線リソース制御（ＲＲＣ）における、半静的ＴＤＤ設定を考慮すべきである。Ｍｓｇ３送信／再送信／反復に関する時間リソース設定はまた、少なくとも送信持続時間、および／またはＤＭＲＳ設定、および／または開始位置に関連するべきである。
【００３８】
一実施形態では、少なくとも１つのデフォルト時間リソース割り当てテーブル（表Ａ）が、Ｍｓｇ３以外のＰＵＳＣＨ（通常のＰＵＳＣＨと呼ばれる）に対して事前定義される。デフォルトテーブル（表Ｂ）は、Ｍｓｇ３を保持するＰＵＳＣＨと通常のＰＵＳＣＨとの間のＫ２値の差（Ｋ２オフセットと呼ばれる）を示すのに、Ｍｓｇ３に対して事前定義される。
【００３９】
一実施形態では、Ｋ２オフセットテーブル（表Ｂ）は、Ｋ２オフセット値とニューメロロジーとを一対一でマッピングすることによって形成される。例えば、以下の表Ｂ１である。
2021515483.tif 000003
【００４０】
別の実施形態では、Ｋ２オフセットテーブル（表Ｂ）は、ニューメロロジーごとまたはいくつかのニューメロロジーに対する複数のＫ２オフセット値に対応する。Ｍｓｇ３を保持するＰＵＳＣＨに使用されるＫ２オフセット値は、ＲＡＲのいくつかの予備または未使用ビットによって示される。例えば、ＲＡＲのＵＬグラントにおける時間リソース割り当てフィールドは４ビットを有し、３ビットは表Ａの行インデックスを示すのに使用され、１ビットは表Ｂから選ぶようにＫ２オフセットにシグナリングするのに使用される。例えば、以下の表Ｂ２である。
2021515483.tif 000004
【００４１】
Ｍｓｇ３を保持するＰＵＳＣＨの時間リソース割り当ては、通常のＰＵＳＣＨのデフォルト時間リソース割り当てテーブル（表Ａ）と併せて、デフォルトＫ２オフセットテーブル（表Ｂ）を使用することによって示される。
【００４２】
Ｍｓｇ３を保持するＰＵＳＣＨの開始位置およびシンボル長さは、ＲＡＲのＵＬグラントにおける時間領域リソース割り当てフィールドによって示される。ＲＡＲの時間領域リソース割り当てフィールドは、ＵＥが、通常のＰＵＳＣＨに関するＫ２、Ｍｓｇ３を保持するＰＵＳＣＨの開始シンボル位置、および長さの情報を読み取るのに使用される、表Ａの行インデックスを示す。Ｍｓｇ３を保持するＰＵＳＣＨに対するＫ２値は、通常のＰＵＳＣＨに対するＫ２＋Ｋ２オフセットによって得られる。
【００４３】
一実施形態では、単一のデフォルト時間割り当てテーブル（表Ｃ）は、通常のＰＵＳＣＨおよびＭｓｇ３を保持するＰＵＳＣＨの両方に使用される。この表Ｃは、ニューメロロジーごとに表Ａおよび表Ｂを組み合わせることによって形成することができる。
【００４４】
本明細書の実施形態によって、タイミングＫ２、開始シンボル、およびＰＵＳＣＨ長さを示す、通常のＰＵＳＣＨに関するデフォルト時間リソース割り当てテーブルが事前定義される。Ｍｓｇ３を保持するＰＵＳＣＨのタイミングは、通常のＰＵＳＣＨとＭｓｇ３を保持するＰＵＳＣＨとのＫ２の違いを使用することによって示される。
【００４５】
図３は、本明細書の実施形態による、無線通信デバイスにおける例示の方法３００を示す概略フローチャートである。一実施形態では、図３のフローチャートは、図２の無線通信デバイス２０１で実現することができる。
【００４６】
方法３００は、ステップＳ３０１で始まってもよく、無線通信デバイス２０１は、物理ランダムアクセスチャネル（ＰＲＡＣＨ）でプリアンブルを送信してもよい（Ｍｓｇ１）。次に、方法３００は、ステップＳ３０２に進んでもよく、無線通信デバイス２０１は、プリアンブルに応答して、ネットワークノード２０２によって伝送されたＲＡＲメッセージ（Ｍｓｇ２）を受信してもよい。次に、方法３００は、ステップＳ３０３に進んでもよく、無線通信デバイス２０１は、物理アップリンク共有チャネル（ＰＵＳＣＨ）で、端末識別のためのメッセージ（Ｍｓｇ３）を送信してもよい。次に、図示されていないが、無線通信デバイス２０１は更に、競合解消メッセージ（ＣＲＭ）（Ｍｓｇ４）をネットワークノード２０２から受信してもよい。本明細書の一実施形態では、Ｍｓｇ３の時間リソース割り当ては、ＰＵＳＣＨ（本明細書では通常のＰＵＳＣＨと呼ばれることがある）で送信される他のいずれのメッセージの時間リソース割り当てとも異なる。
【００４７】
一実施形態では、Ｍｓｇ３の時間リソース割り当ては、ＰＵＳＣＨで送信される他のメッセージの時間リソース割り当てからのタイミングオフセット（Ｋ２オフセットと呼ばれることがある）を有する。一実施形態では、Ｍｓｇ３の時間リソース割り当ては、ＲＡＲを含むＰＤＳＣＨの最後のシンボルと、対応するＭｓｇ３  ＰＵＳＣＨ送信の最初のシンボルＵＥとの間の最小時間を指定するのに使用されてもよい。１つのみの時間リソース割り当てまたは複数の時間リソース割り当てが存在してもよいことに留意のこと。
【００４８】
一実施形態では、通常のＰＵＳＣＨの時間リソース割り当ては使用されるニューメロロジーに応じて決まってもよい。例えば、通常のＰＵＳＣＨの時間リソース割り当ては、使用されるサブキャリア間隔（ＳＣＳ）、または他のパラメータに応じて決まってもよい。
【００４９】
一実施形態では、通常のＰＵＳＣＨの時間リソース割り当ては、残存最小システム情報（ＲＭＳＩ）、ＲＲＣ、および／またはダウンリンク制御情報（ＤＣＩ）を介して、ネットワークノード２０２によって示される。一実施形態では、通常のＰＵＳＣＨの時間リソース割り当ては、他の任意のメッセージを介してネットワークノード２０２によって示される。
【００５０】
一実施形態では、通常のＰＵＳＣＨの時間リソース割り当ては、第１の既定のテーブルまたは第１の設定テーブル（表Ａと呼ばれることがある）で配置および／または送信されてもよい。一実施形態では、１つを超える表Ａが規定される。
【００５１】
一実施形態では、タイミングオフセット（即ち、Ｋ２オフセット）も使用されるニューメロロジーに応じて決まってもよい。１つの方策では、Ｋ２オフセット値とニューメロロジーとの間に一対一のマッピングがあってもよい。別の方策では、１つのニューメロロジーに対して、可能性がある１つを超えるＫ２オフセットがあってもよい。本明細書で使用するとき、ニューメロロジーは、使用されるサブキャリア間隔（ＳＣＳ）または他のパラメータを含んでもよい。
【００５２】
一実施形態では、タイミングオフセット（Ｋ２オフセット）はまた、ＲＭＳＩ、ＲＲＣ、ＤＣＩ、および／または他の任意のメッセージを介して、ネットワークノードによって示されてもよい。一実施形態では、タイミングオフセット（Ｋ２オフセット）はまた、ＲＡＲメッセージ（Ｍｓｇ２）においてネットワークノード２０２によって示されてもよい。一実施形態では、無線通信デバイス２０１（例えば、ＵＥ）はＭｓｇ３に使用されるＫ２オフセットについて事前に知っているため、ネットワークノード２０２がタイミングオフセット（Ｋ２オフセット）を示す必要はない。
【００５３】
一実施形態では、Ｋ２オフセットは、第２の既定のテーブルまたは第２の設定テーブル（表Ｂと呼ばれることがある）で配置および／または送信されてもよい。例えば、Ｋ２オフセット値とニューメロロジーとを一対一でマッピングするため、表Ｂは上述の表Ｂ１として具体化されてもよい。更に、別の例として、表Ｂは、１つのニューメロロジーに対して１つを超える代替のＫ２オフセット値が存在してもよい、上述の表Ｂ２として具体化されてもよい。
【００５４】
一実施形態では、表Ａおよび表Ｂを統合して、通常のＰＵＳＣＨおよびＭｓｇ３を保持するＰＵＳＣＨの両方に使用される、単一のデフォルト時間割り当てテーブル（表Ｃ）としてもよい。この表Ｃは、ニューメロロジーごとに表Ａおよび表Ｂを組み合わせることによって形成することができる。
【００５５】
上述のステップは単なる例であり、無線通信デバイス２０１は、図２に関連して記載したいずれの動作も実施することができる。
【００５６】
図４は、本明細書の実施形態による、ネットワークノードにおける例示の方法４００を示す概略フローチャートである。一実施形態では、図４のフローチャートは、図２のネットワークノード２０２で実現することができる。
【００５７】
方法４００は、ステップＳ４０１で始まってもよく、ネットワークノード２０２は、物理ランダムアクセスチャネル（ＰＲＡＣＨ）でプリアンブルを受信してもよく（Ｍｓｇ１）、プリアンブルは、無線通信デバイス（ＵＥ）に指示してネットワークノード２０２へのアクセスを試行してもよい。当然ながら、１つを超えるＵＥがネットワークノード２０２へのアクセスを試行してもよい。次に、方法４００は、ステップＳ４０２に進んでもよく、ネットワークノード２０２は、プリアンブルに応答して、ＲＡＲメッセージ（Ｍｓｇ２）をＵＥに送信して、ネットワークノード２０２へのアクセスを試行してもよい。Ｍｓｇ２は、１つまたは複数のＵＥに対するアップリンク（ＵＬ）グラントを含んでもよい。次に、方法４００は、ステップＳ４０３に進んでもよく、ネットワークノード２０２は、物理アップリンク共有チャネル（ＰＵＳＣＨ）で、１つまたは複数のＵＥから端末識別のためのメッセージ（Ｍｓｇ３）を受信してもよい。次に、図示されていないが、ネットワークノード２０２は更に、競合解消メッセージ（ＣＲＭ）（Ｍｓｇ４）を１つまたは複数のＵＥに送信してもよい。本明細書の一実施形態では、Ｍｓｇ３の時間リソース割り当ては、ＰＵＳＣＨ（本明細書では通常のＰＵＳＣＨと呼ばれることがある）で送信される他のいずれのメッセージの時間リソース割り当てとも異なる。
【００５８】
一実施形態では、Ｍｓｇ３の時間リソース割り当ては、ＰＵＳＣＨで送信される他のメッセージの時間リソース割り当てからのタイミングオフセット（Ｋ２オフセットと呼ばれることがある）を有する。一実施形態では、Ｍｓｇ３の時間リソース割り当ては、ＲＡＲを含むＰＤＳＣＨの最後のシンボルと、対応するＭｓｇ３  ＰＵＳＣＨ送信の最初のシンボルＵＥとの間の最小時間を指定するのに使用されてもよい。１つのみの時間リソース割り当てまたは複数の時間リソース割り当てが存在してもよいことに留意のこと。
【００５９】
一実施形態では、通常のＰＵＳＣＨの時間リソース割り当ては使用されるニューメロロジーに応じて決まってもよい。例えば、通常のＰＵＳＣＨの時間リソース割り当ては、使用されるサブキャリア間隔（ＳＣＳ）、または他のパラメータに応じて決まってもよい。
【００６０】
一実施形態では、ネットワークノード２０２は、ＲＭＳＩ、ＲＲＣ、および／またはＤＣＩを介して、通常のＰＵＳＣＨの時間リソース割り当てを示してもよい。一実施形態では、ネットワークノード２０２は、他の任意のメッセージを介して、通常のＰＵＳＣＨの時間リソース割り当てを示してもよい。
【００６１】
一実施形態では、通常のＰＵＳＣＨの時間リソース割り当ては、第１の既定のテーブルまたは第１の設定テーブル（表Ａと呼ばれることがある）で配置および／または送信されてもよい。一実施形態では、１つを超える表Ａが規定される。
【００６２】
一実施形態では、タイミングオフセット（即ち、Ｋ２オフセット）も使用されるニューメロロジーに応じて決まってもよい。１つの方策では、Ｋ２オフセット値とニューメロロジーとの間に一対一のマッピングがあってもよい。別の方策では、１つのニューメロロジーに対して、可能性がある１つを超えるＫ２オフセットがあってもよい。本明細書で使用するとき、ニューメロロジーは、使用されるサブキャリア間隔（ＳＣＳ）または他のパラメータを含んでもよい。
【００６３】
一実施形態では、ネットワークノード２０２はまた、ＲＭＳＩ、ＲＲＣ、ＤＣＩ、および／または他の任意のメッセージを介して、タイミングオフセット（Ｋ２オフセット）を示してもよい。一実施形態では、ネットワークノード２０２は、ＲＡＲメッセージ（Ｍｓｇ２）でタイミングオフセット（Ｋ２オフセット）を示してもよい。一実施形態では、無線通信デバイス２０１（例えば、ＵＥ）はＭｓｇ３に使用されるＫ２オフセットについて事前に知っているため、ネットワークノード２０２がタイミングオフセット（Ｋ２オフセット）を示す必要はない。
【００６４】
一実施形態では、Ｋ２オフセットは、第２の既定のテーブルまたは第２の設定テーブル（表Ｂと呼ばれることがある）で配置および／または送信されてもよい。例えば、Ｋ２オフセット値とニューメロロジーとを一対一でマッピングするため、表Ｂは上述の表Ｂ１として具体化されてもよい。更に、別の例として、表Ｂは、１つのニューメロロジーに対して１つを超える代替のＫ２オフセット値が存在してもよい、上述の表Ｂ２として具体化されてもよい。
【００６５】
一実施形態では、表Ａおよび表Ｂを統合して、通常のＰＵＳＣＨおよびＭｓｇ３を保持するＰＵＳＣＨの両方に使用される、単一のデフォルト時間割り当てテーブル（表Ｃ）としてもよい。この表Ｃは、ニューメロロジーごとに表Ａおよび表Ｂを組み合わせることによって形成することができる。
【００６６】
上述のステップは単なる例であり、ネットワークノード２０２は、図２に関連して記載したいずれの動作も実施することができる。
【００６７】
図５は、本明細書の実施形態による、例示の無線通信デバイス２０１を示す概略ブロック図である。
【００６８】
一実施形態では、無線通信デバイス２０１は、少なくとも１つのプロセッサ５０１と、少なくとも１つのプロセッサ５０１に結合された非一時的コンピュータ可読媒体５０２とを含んでもよい。非一時的コンピュータ可読媒体５０２は、少なくとも１つのプロセッサ５０１によって実行可能な命令を含み、それによって少なくとも１つのプロセッサ５０１が、図３の概略フローチャートに示されるような例示の方法３００のステップを実施するように設定される。ここでは、その詳細については省略する。
【００６９】
無線通信デバイス２０１は、ハードウェア、ソフトウェア、ファームウェア、および／またはそれらの任意の組み合わせの形で具体化できることに留意のこと。例えば、無線通信デバイス２０１は、複数のユニット、回路構成、またはモジュールを含んでもよく、それらはそれぞれ、無線通信デバイス２０１に関連する例示の方法３００のステップまたは図２に示される任意のステップを実施するのに使用することができる。
【００７０】
図６は、本明細書の実施形態による、例示のネットワークノード２０２を示す概略ブロック図である。
【００７１】
一実施形態では、ネットワークノード２０２は、少なくとも１つのプロセッサ６０１と、少なくとも１つのプロセッサ６０１に結合された非一時的コンピュータ可読媒体６０２とを含んでもよい。非一時的コンピュータ可読媒体６０２は、少なくとも１つのプロセッサ６０１によって実行可能な命令を含み、それによって少なくとも１つのプロセッサ６０１が、図４の概略フローチャートに示されるような例示の方法４００のステップを実施するように設定される。ここでは、その詳細については省略する。
【００７２】
ネットワークノード２０２は、ハードウェア、ソフトウェア、ファームウェア、および／またはそれらの任意の組み合わせの形で具体化できることに留意のこと。例えば、ネットワークノード２０２は、複数のユニット、回路構成、またはモジュールを含んでもよく、それらはそれぞれ、ネットワークノード２０２に関連する例示の方法４００のステップまたは図２に示される任意のステップを実施するのに使用することができる。
【００７３】
図７は、本明細書の実施形態による装置７００を示す概略ブロック図である。一実施形態では、装置７００は、無線通信デバイス２０１またはネットワークノード２０２など、上述の装置のいずれかとして設定することができる。
【００７４】
一実施形態では、装置７００は、中央処理装置（ＣＰＵ）７０１などの少なくとも１つのプロセッサ、コンピュータ可読媒体７０２、およびメモリ７０３を含んでもよいが、それらに限定されない。メモリ７０３は、揮発性（例えば、ランダムアクセスメモリ（ＲＡＭ））および／または不揮発性メモリ（例えば、ハードディスクもしくはフラッシュメモリ）を含んでもよい。一実施形態では、コンピュータ可読媒体７０２は、プロセッサ７０１によって実行されると、プロセッサ７０１に上述の方法のいずれかを実施させる、コンピュータプログラムおよび／または命令を格納するように設定されてもよい。
【００７５】
一実施形態では、コンピュータ可読媒体７０２（非一時的コンピュータ可読媒体など）はメモリ７０３に格納されてもよい。別の実施形態では、コンピュータプログラムは、遠隔位置で、例えばコンピュータプログラム製品７０４（コンピュータ可読媒体として具体化することもできる）に格納され、例えばキャリア７０５を介して、プロセッサ７０１によってアクセス可能であることができる。
【００７６】
コンピュータ可読媒体７０２および／またはコンピュータプログラム製品７０４は、取外し可能なコンピュータ可読媒体、例えばディスケット、ＣＤ（コンパクトディスク）、ＤＶＤ（デジタルビデオディスク）、フラッシュもしくは類似の取外し可能なメモリ媒体（例えば、コンパクトフラッシュ、ＳＤ（セキュアデジタル）、メモリスティック、ミニＳＤカード、ＭＭＣマルチメディアカード、スマートメディア）、ＨＤ−ＤＶＤ（高精細度ＤＶＤ）、またはブルーレイＤＶＤ、ＵＳＢ（ユニバーサルシリアルバス）ベースの取外し可能なメモリ媒体、磁気テープ媒体、光学記憶媒体、光磁気媒体、バブルメモリに分散および／または格納することができ、あるいは、ネットワーク（例えば、イーサネット、ＡＴＭ、ＩＳＤＮ、ＰＳＴＮ、Ｘ．２５、インターネット、ローカルエリアネットワーク（ＬＡＮ）、またはデータパケットをインフラストラクチャノードに搬送することができる類似のネットワーク）を介して、伝播信号として分散することができる。
【００７７】
例示の実施形態は、コンピュータ実装方法、装置（システムおよび／またはデバイス）、ならびに／あるいは非一時的コンピュータプログラム製品のブロック図および／またはフローチャート図を参照して本明細書に記載される。ブロック図および／またはフローチャート図のブロック、ならびにブロック図および／またはフローチャート図のブロックの組み合わせは、１つまたは複数のコンピュータ回路によって実施されるコンピュータプログラム命令によって実現できることが理解される。これらのコンピュータプログラム命令は、汎用コンピュータ回路、専用コンピュータ回路、および／または機械を作り出す他のプログラマブルデータ処理回路のプロセッサ回路に提供されてもよく、それによって、コンピュータおよび／または他のプログラマブルデータ処理装置のプロセッサを介して実行する命令は、トランジスタ、メモリ位置に格納された値、およびかかる回路構成内の他のハードウェアコンポーネントを変換し制御して、ブロック図および／またはフローチャートの１つもしくは複数のブロックで指定された機能／動作を実現し、それにより、ブロック図および／またはフローチャートのブロックで指定された機能／動作を実現する手段（機能性）および／または構造を作成する。
【００７８】
これらのコンピュータプログラム命令はまた、コンピュータまたは他のプログラマブルデータ処理装置に特定の方式で機能するように命令することができる、有形のコンピュータ可読媒体に格納されてもよく、それによって、コンピュータ可読媒体に格納された命令が、ブロック図および／またはフローチャートの１つもしくは複数のブロックで指定された機能／動作を実現する命令を含む製品を作り出す。したがって、本発明の概念の実施形態は、ハードウェアの形、および／またはデジタル信号プロセッサなどのプロセッサで稼働するソフトウェア（ファームウェア、常駐ソフトウェア、マイクロコードなどを含む）の形で具体化されてもよく、それらを集合的に、「回路構成」、「モジュール」、またはそれらの変形と呼ぶことができる。
【００７９】
開示される本発明の概念の原理から実質的に逸脱することなく、多くの変形および修正を実施形態に対して行うことができる。かかる全ての変形および修正は、本明細書において本発明の概念の範囲内に含まれるものとする。したがって、上記に開示された主題は限定ではなく例証と見なされるべきであり、添付の実施形態の例は、本発明の概念の趣旨および範囲内にある、全てのかかる修正、改良、および他の実施形態を包含するものとする。したがって、法令で認められる最大範囲において、本発明の概念の範囲は、以下に示す実施形態の例およびそれらの等価物を含む本開示の許容できる最も広い解釈によって決定されるべきものであり、上述の詳細な説明によって制限または限定されるものではない。
【００８０】
略語
３ＧＰＰ  第３世代パートナーシッププロジェクト
ＣＲＭ  競合解消メッセージ
ＤＣＩ  ダウンリンク制御情報
ＤＭＲＳ  復調用参照信号
ＬＴＥ  ロングタームエボリューション
ＮＲ  新無線
ＯＦＤＭ  直交周波数分割多重
ＯＴＴ  オーバーザトップ
ＰＢＣＨ  物理ブロードキャストチャネル
ＰＤＣＣＨ  物理ダウンリンク制御チャネル
ＰＤＳＣＨ  物理ダウンリンク共有チャネル
ＰＲＡＣＨ  物理ランダムアクセスチャネル
ＰＳＳ  プライマリ同期信号
ＰＵＳＣＨ  物理アップリンク共有チャネル
ＲＡ  ランダムアクセス
ＲＡＮ  無線アクセスネットワーク
ＲＡＲ  ランダムアクセス応答
ＲＭＳＩ  残存最小システム情報
ＲＲＣ  無線リソース制御
ＳＣＳ  サブキャリア間隔
ＳＳＳ  セカンダリ同期信号
ＴＤＤ  時分割複信
ＵＬ  アップリンク
【図１】
2021515483.tif 000013
【図２】
2021515483.tif 000014
【図３】
2021515483.tif 000015
【図４】
2021515483.tif 000016
【図５】
2021515483.tif 000017
【図６】
2021515483.tif 000018
【図７】
2021515483.tif 000019
【国際調査報告】
2021515483.tif 000020
2021515483.tif 000021
2021515483.tif 000022